(57)【要約】【課題】水分検出型の降雪センサーの誤動作を少なくするために、降雪時には受雪面に乗った雪を直ちに溶かして水分にし、降雪が止まったときは受雪面の水分を速やかに排出する構造になった設置の楽な降雪センサーを提供する。【解決手段】外気温が一定温度以下になると降雪センサー内に内蔵しているヒーターに通電して受雪面は絶えず０℃以上を保つようにしておき、降雪センサーは予め建物等の壁に取り付ける支持棒に固定してあるが、支持棒が水平に位置するときに降雪センサーはほぼ１５°程傾斜するように固定しておく。【選択図】図１
0003112271.tif 000002
【実用新案登録請求の範囲】
【請求項１】
上部に５ｃｍ×７ｃｍほどの平面状の受雪面を持ち、その表面に入り組んだ形状の向き合った一対の電極を配置し、降雪によって湿潤した前記受雪面の電極間のインピーダンス変化を検出して降雪の有無を検知するようにしてある、高さ４ｃｍほどの箱体の中に外気温度が所定の外気温設定温度より低下したとき電力供給を受けて発熱するヒーターを内蔵しており、熱伝導板を介して前記受雪面の裏面に密接固着してある。また前記受雪面の周囲３方に該受雪面より１〜１０ｍｍ突出した風防を突設してあり、その風防にも熱が伝わるようにしてあり、受雪面と風防が絶えず０℃より少し高めの温度を保つようにしてある。その箱体は風防の無い側が少し低くなるように直径３ｃｍ程のパイプ状の、長さほぼ５０ｃｍの支持棒に固定されており、その支持棒は壁に取り付けられるようになっている台座に固定されていることを特徴とする降雪センサー。
【請求項２】
前記支持棒が２本の直径の異なるパイプからできており、一方が他方にぴったりと内装できるようになっており、それを出し入れすることにより長さを調節して、ほぼ４０ｃｍから６０ｃｍの範囲変化させてネジで固定できるようになっていることを特徴とする請求項１記載の降雪センサー。
【請求項３】
前記降雪センサーの近傍に外気温度を検出する外気温度センサーを具備し、外気温センサーからの出力値を外気温度判定回路を介して外気温度が予め設定した外気温設定温度より低下した場合に降雪センサー箱体内蔵のヒーターを「ＯＮ」して受雪面を融雪温度に保持するように作動する受雪面ヒーター制御回路を有しており、降雪センサーの電極間のインピーダンスを水分判定回路を介して得た信号及び前記外気温度判定回路からの信号を入力し、降雪「あり」、「なし」の降雪信号を出力する降雪判定回路をもち、また被制御融雪装置等の近傍の地表近くに埋設して融雪装置の設置部位の地表温度を検出する地温センサーを具備し、それからの信号を入力して予め設定した地温設定温度値と比較して地表温度判定信号を出力する地表温度判定回路からの信号と、前記降雪判定回路の後段に遅延時間可変設定自在になる遅延タイマー回路を介した信号とを入力して、融雪装置等の電源回路の「ＯＮ」、「ＯＦＦ」制御の指令を出す回路を組み合わせてあるコントロールシステムと接続して使用することを特徴とする請求項１、２記載の降雪センサー。
【考案の詳細な説明】
【技術分野】
【０００１】  降雪を検知して融雪装置を作動し、雪害を未然に回避する技術に用いる降雪検出装置に関する。
【背景技術】
【０００２】  近年積雪地帯では、積雪による雪害を防ぐために、様々な工夫がなされている。降雪センサーにより降雪を検出して外気温や地温とつき合わせ、ロード・ヒーティングやルーフ・ヒーティング装置の動作を制御できるようなシステムも提案されている。また降雪センサーも赤外線を利用したもの、水分の検出によるものなど様々なものがある。【０００３】  水分検出型の降雪センサーの受雪面に設置された一対の電極間のインピーダンス変化を検出して降雪の有無を判断するためには、降雪時には雪が受雪面で溶けて水分となり、降雪が止んだときはその水分が無くなる事が必要である。そのためにまず降雪センサーの箱体の中にヒーターを内蔵し、外気温が一定温度以下になるとヒーター回路に電流を流して受雪面を暖めるようになっていた。
【考案の開示】
【考案が解決しようとする課題】
【０００４】  また強風時に雪が受雪面から完全に吹き飛ばされるのを防ぐために受雪面周辺にそれを囲むように風防を突設させていたものもあったが、それにも熱が伝わり、雪が風防に凍りつくのを防いでいた。さらに溶けてできた水がその風防内に停留しないよう風防は三方のみとし、一方向は風防を設けず、かつ降雪センサーの箱体を若干傾斜させて風防の無い側を少し低くして溶けた水が流れ落ちるように設置しなければならなかった。【０００５】  降雪センサーからの信号を基に融雪装置の作動電源の「ＯＮ」「ＯＦＦ」制御の指令を出すにあたり、より正確な指令を出すために、外気温、地温等のデータを取り入れて総合的に判断し、かつ遅延タイマー等を介して融雪装置の電源回路の「ＯＮ」「ＯＦＦ」制御を行うがそれら周辺センサーとの結線、あるいはそれら判断を行う回路を一つの箱にまとめ操作を簡略にする必要があった。
【課題を解決するための手段】
【０００６】  本考案は上記課題に鑑みてなされたものであり、降雪センサー箱体の風防の無い側が少し低くなるように、降雪センサー箱体をパイプ状の所定長さの支持棒に固定し、その支持棒の反対側には建物などの壁に取り付け易いように台座が接続してある。【０００７】  前記降雪センサーの近傍に外気温度を検出する外気温度センサーを具備し、降雪センサーの電極間のインピーダンスと外気温センサーからの出力値をそれぞれ水分判定回路及び外気温度判定回路を介して入力し、降雪「あり」、「なし」の降雪信号を出力する降雪判定回路と、前記外気温度判定回路からの信号を受け、外気温度が予め設定した外気温設定温度より低下した場合に降雪センサー箱体内蔵のヒーターを「ＯＮ」して受雪面を融雪温度に保持するように作動する受雪面ヒーター制御回路を有している。また被制御融雪装置等の近傍の地表近くに埋設して融雪装置の設置部位の地表温度を検出する地温センサーを具備し、それからの信号を入力して予め設定した地温設定温度値と比較して地表温度判定信号を出力する地表温度判定回路からの信号と、前記降雪判定回路の後段に遅延時間可変設定自在になる遅延タイマー回路を介した信号とを入力して、融雪装置等の電源回路の「ＯＮ」、「ＯＦＦ」制御の指令を出す回路を組み合わせたものをまとめてコントロール・ボックスに入れケーブルで降雪センサーと接続する。
【考案の効果】
【０００８】  上記考案によれば、外気温度が下がっても降雪センサーの受雪面と風防は常に０℃より少し高めの温度に保たれているので雪が受雪面にのれば、雪は直ちに溶けて水になり、電極間のインピーダンスを変化させ、外気温のデーターとつき合わせて降雪があるという信号を出す。また降雪センサーは風防の無い側が少し低くなるように傾けてあるので、溶けてできた水分は次々と流れ落ち受雪面に溜まることは無い。従って雪が降り止んだときには暫くすると水分は無くなりインピーダンスは元に戻り降雪があるという信号を出さなくなる。
【考案を実施するための最良の形態】
【０００９】  降雪センサーの上部に５ｃｍ×７ｃｍほどの平面状の受雪面を持ち、その表面に入り組んだ形状の向き合った一対の電極を配置し、降雪によって湿潤した前記受雪面の電極間のインピーダンス変化を検出して降雪の有無を検知するようにしてある、高さ４ｃｍほどの箱体の中に外気温度が所定の外気温設定温度より低下したとき電力供給を受けて発熱するヒーターを内蔵しており、熱伝導板を介して前記受雪面の裏面に密接固着してある。【００１０】  また前記受雪面の周囲３方に該受雪面より１〜１０ｍｍ突出した風防を突設してあり、その風防にも熱が伝わるようにしてあり、受雪面と風防が絶えず０℃より少し高めの温度を保つようにしてある。その箱体は風防の無い側が少し低くなるように直径３ｃｍ程のパイプ状の、長さほぼ５０ｃｍの支持棒に固定されており、その支持棒は壁に取り付けられるようになっている台座に固定されている。かつその支持棒は長さが調節できるようにしておくと便利である。
【実施例】
【００１１】  本考案の降雪センサーを図面に基づいて説明すると、図１は実施態様を示す斜視図で降雪センサー箱体１の上部には５ｘ７ｃｍの受雪面２があり、表面には入り組んだ形状の一対の電極が貼り付けてある。その周辺３方には１〜１０ｍｍの風防３が突設してあり、水分流出側４には風防が無い。【００１２】  降雪センサー箱体１は直径３ｃｍほどのパイプでできた支持棒ａ５に固定してあるが、支持棒が水平に置かれたとき、水分流出側４が少し低くなるように降雪センサー箱体１は支持棒ａ５に対して約１５°の角度で固定してある。【００１３】  かつこの支持棒は全体の長さが調節できるように、支持棒ａ５が少し太めの支持棒ｂ６に内装できるようにしてあり、支持棒ａ５を出し入れして適当な長さになったとき固定ネジ７を締めて固定する。支持棒の長さは４０〜６０ｃｍの範囲で調節できる。【００１４】  さらに支持棒ｂ６の先は建物などの壁に取り付ける台座８につなげてある。外気温センサー９は支持棒ａの下部に取り付けてあり、それらを結ぶ電気系統のケーブルは支持棒のパイプの中を通って台座の下から抜け、図示はしてないがコントロール・ボックスへと繋がっている。
【産業上の利用可能性】
【００１５】    以上説明したように、本考案の降雪センサーは簡単に設置でき、コントロール・ボックスと繋ぐことにより、融雪装置に確実な「ＯＮ」「ＯＦＦ」指令を出すことができるので積雪による被害を防ぐことができる。
【図面の簡単な説明】
【００１６】
【図１】本考案の降雪センサーの実施態様を示す斜視図
【符号の説明】
【００１７】  １  降雪センサー箱体
２  受雪面
３  風防
４  水分流出側
５  支持棒ａ
６  支持棒ｂ
７  固定ネジ
８  台座
９  外気温センサー
【図１】
0003112271.tif 000003
【手続補正書】
【提出日】平成17年4月13日(2005.4.13)
【手続補正１】
【補正対象書類名】実用新案登録請求の範囲
【補正対象項目名】全文
【補正方法】変更
【補正の内容】
【実用新案登録請求の範囲】
【請求項１】
上部に５ｃｍ×７ｃｍほどの平面状の受雪面を持ち、その表面に入り組んだ形状の向き合った一対の電極を配置し、降雪によって湿潤した前記受雪面の電極間のインピーダンス変化を検出して降雪の有無を検知するようにしてある、高さ４ｃｍほどの箱体において
▲１▼箱体の中に外気温度が所定の外気温設定温度より低下したとき電力供給を受けて発熱するヒーターを内蔵しており、熱伝導板を介して前記受雪面の裏面に密接固着してある。
▲２▼また前記受雪面の周囲３方に該受雪面より１〜１０ｍｍ突出した風防を突設してあり、その風防にも熱が伝わるようにしてあり、受雪面と風防が絶えず０℃より少し高めの温度を保つようにしてある。
▲３▼その箱体は風防の無い側が少し低くなるように直径３ｃｍ程のパイプ状の、長さほぼ５０ｃｍの支持棒に固定されており、その支持棒は壁に取り付けられるようになっている台座に固定されている。
以上からなる降雪センサー。
【請求項２】
前記支持棒が２本の直径の異なるパイプからできており、一方が他方にぴったりと内装できるようになっており、それを出し入れすることにより長さを調節して、ほぼ４０ｃｍから６０ｃｍの範囲変化させてネジで固定できるようになっていることを特徴とする請求項１記載の降雪センサー。
【請求項３】
前記降雪センサーの近傍に外気温度を検出する外気温度センサーを具備し、外気温センサーからの出力値を外気温度判定回路を介して外気温度が予め設定した外気温設定温度より低下した場合に降雪センサー箱体内蔵のヒーターを「ＯＮ」して受雪面を融雪温度に保持するように作動する受雪面ヒーター制御回路を有しており、降雪センサーの電極間のインピーダンスを水分判定回路を介して得た信号及び前記外気温度判定回路からの信号を入力し、降雪「あり」、「なし」の降雪信号を出力する降雪判定回路をもち、また被制御融雪装置等の近傍の地表近くに埋設して融雪装置の設置部位の地表温度を検出する地温センサーを具備し、それからの信号を入力して予め設定した地温設定温度値と比較して地表温度判定信号を出力する地表温度判定回路からの信号と、前記降雪判定回路の後段に遅延時間可変設定自在になる遅延タイマー回路を介した信号とを入力して、融雪装置等の電源回路の「ＯＮ」、「ＯＦＦ」制御の指令を出す回路を組み合わせてあるコントロールシステムと接続して使用することを特徴とする請求項１、２記載の降雪センサー。